【手続補正書】
【提出日】平成22年7月5日(2010.7.5)
【手続補正１】
【補正対象書類名】特許請求の範囲
【補正対象項目名】全文
【補正方法】変更
【補正の内容】
【特許請求の範囲】
【請求項１】
通信ネットワークにおいて専用容量を提供するためのシステムであって、
第１の位置に設けられ、第１のカバレッジエリアを形成し、かつ電話網へ通信可能に接続される第１のトランシーバ装置と、
前記第１の位置に設けられ、かつ前記電話網へ通信可能に接続される第２のトランシーバ装置と、
第２の位置においてカバレッジエリアを形成するための屋内セルラーアンテナとを備え、前記第２の位置は地理的に前記第１の位置から遠隔にあり、前記屋内セルラーアンテナは、前記カバレッジエリア内の前記第２の位置に設けられる移動体通信機器が前記屋内セルラーアンテナ及び前記第２のトランシーバ装置を介して前記電話網へ通信可能に接続されるように前記第２のトランシーバ装置へ通信可能に接続され、
前記第２のトランシーバ装置は前記第２の位置における前記カバレッジエリアを用いるために提供されるシステム。
【請求項２】
前記第１のトランシーバ装置は前記第１のカバレッジエリアを形成するための屋外セルラーアンテナを有する第１の基地局の一部であり、
前記第２のトランシーバ装置は第２の基地局の一部であり、
前記システムは前記第２の位置に屋外アンテナと周波数変換器をさらに備え、前記第２の位置における前記屋外アンテナは無線通信を介して前記第２の基地局へ通信可能に接続され、かつ前記第２の位置における前記屋外アンテナは前記周波数変換器を介して前記屋内アンテナへ通信可能に接続される請求項１記載のシステム。
【請求項３】
前記第１のトランシーバ装置は前記第１のカバレッジエリアを形成するための屋外セルラーアンテナを有する第１の基地局の一部であり、
前記第２のトランシーバ装置は第２の基地局の一部であり、
前記システムは、前記第２の位置に、８５０ＭＨｚ又は１９００ＭＨｚ周波数帯域における無線通信を介して前記第２の基地局へ通信可能に接続される屋外アンテナをさらに備え、前記屋内セルラーアンテナのカバレッジエリア内に設けられる前記移動体通信機器は、前記第２の位置における前記屋外アンテナを前記第２の基地局へ通信可能に接続させる場合に使用されるものと同一の周波数帯域の無線通信を使用して前記屋内セルラーアンテナへ通信可能に接続される請求項１記載のシステム。
【請求項４】
前記第１のトランシーバ装置は第１の基地局の一部であり、
前記第２のトランシーバ装置は第２の基地局の一部であり、
前記第２の位置における前記カバレッジエリアは第１の建物内であり、第２の建物内の第３の位置にカバレッジエリアを形成するための屋内セルラーアンテナをさらに備え、前記第３の位置は地理的に前記第１の位置から遠隔にあり、前記第３の位置における前記屋内セルラーアンテナは、前記第３の位置における前記カバレッジエリア内に設けられる移動体通信機器が前記屋内セルラーアンテナ及び前記基地局を介して前記電話網へ通信可能に接続されるように前記第２の基地局へ通信可能に接続される請求項１記載のシステム。
【請求項５】
前記第２のトランシーバ装置は、単一のトランシーバを有する低電力基地局である第２の基地局の一部である請求項１記載のシステム。
【請求項６】
前記第２の基地局は、音声データがＩＰパケットで伝送されるインターネットプロトコル（ＩＰ）を使用するバックホールを介して前記電話網へ接続される請求項５記載のシステム。
【請求項７】
前記第１のトランシーバ装置は第１の基地局の一部であり、
前記第２のトランシーバ装置は第２の基地局の一部であり、
前記第１の基地局は１つ又は複数のトランシーバを有する高電力基地局である請求項５記載のシステム。
【請求項８】
前記第１のトランシーバ装置は前記第１のカバレッジエリアを形成するための屋外セルラーアンテナを有する第１の基地局の一部であり、
前記第２のトランシーバ装置は第２の基地局の一部であり、
前記第１及び第２の基地局はサイトインフラストラクチャを共用する請求項１記載のシステム。
【請求項９】
前記第１のトランシーバ装置は第１の基地局の一部であり、
前記第２のトランシーバ装置は第２の基地局の一部であり、
前記第２の位置における遠隔システムは前記屋内アンテナを備え、前記遠隔システムは第１の通信リンクを介して前記第２の基地局へ通信可能に接続され、前記遠隔システムと前記第１の基地局との間で管理情報を伝送し合うための補助通信リンクをさらに備える請求項１記載のシステム。
【請求項１０】
前記システムはさらに、前記第１の位置に設けられ、かつ前記電話網へ通信可能に接続される基地局を備え、前記基地局は、移動体通信機器との直接通信のための前記第１のカバレッジエリアを提供する１つ又は複数のトランシーバ装置と、第２のカバレッジエリアを提供する１つ又は複数のトランシーバ装置とを有し、前記第１及び第２のトランシーバ装置は前記基地局の一部であり、
前記システムはさらに、前記第２のカバレッジエリア内の遠隔システムを備え、前記遠隔システムは、前記第２のカバレッジエリアを提供する前記１つ又は複数のトランシーバ装置を介して前記基地局へ通信可能に接続され、前記遠隔システムは、遠隔位置にカバレッジエリアを形成するための前記屋内セルラーアンテナを備え、前記遠隔位置は地理的に前記第１の位置から遠隔にあり、前記屋内セルラーアンテナは、前記遠隔位置における前記カバレッジエリア内に設けられる移動体通信機器が前記屋内セルラーアンテナ及び前記基地局を介して前記電話網へ通信可能に接続されるように前記基地局へ通信可能に接続される請求項１記載のシステム。
【請求項１１】
前記第１のカバレッジエリアは第１の数、ｎ個のセクタを備え、前記第２のカバレッジエリアは第２の数、ｍ個のセクタを備え、
前記ｎ個のセクタはそれぞれ１２０度であり、
前記ｍ個のセクタは、１２０度と無指向性とのうちの少なくとも１つである請求項１記載のシステム。
【請求項１２】
セルラーネットワークにおいて専用容量を提供するための方法であって、前記セルラーネットワークは、第１の位置に、電話網へ通信可能に接続されかつ複数のトランシーバを有しかつ前記第１の位置にカバレッジエリアを形成する少なくとも１つの屋外アンテナを有する高電力基地局を含み、前記方法は、
前記第１の位置に低電力基地局を追加することと、
第２の位置にカバレッジエリアを形成するための屋内セルラーアンテナを追加することを含み、前記第２の位置は地理的に前記第１の位置から遠隔にあり、前記屋内セルラーアンテナは、前記カバレッジエリア内に設けられる移動体通信機器が前記屋内セルラーアンテナ及び前記低電力基地局を介して前記電話網へ通信可能に接続されるように前記低電力基地局へ通信可能に接続される方法。
【請求項１３】
前記第２の位置において屋外アンテナ及び周波数変換器を追加することをさらに含み、前記第２の位置における前記屋外アンテナは無線通信を介して前記低電力基地局へ通信可能に接続され、かつ前記第２の位置における前記屋外アンテナは前記周波数変換器を介して前記屋内アンテナへ通信可能に接続される請求項１２記載の方法。
【請求項１４】
前記第２の位置において前記低電力基地局へ通信可能に接続される１つ又は複数の追加的な屋内アンテナを加えることをさらに含む請求項１２記載の方法。
【請求項１５】
前記第２の位置における前記屋外アンテナは、２５００ＭＨｚ周波数帯域における無線通信を介して前記低電力基地局へ通信可能に接続され、前記屋内セルラーアンテナの前記カバレッジエリア内に設けられる前記移動体通信機器は、８５０ＭＨｚ又は１９００ＭＨｚ周波数帯域の無線通信を使用して前記屋内セルラーアンテナへ通信可能に接続される請求項１２記載の方法。